(57)【特許請求の範囲】
【請求項１】
筐体内部のホース収納部に消火用ホースを内巻きに収納し、前記ホース収納部に前記消火用ホースが引き出される開口部を有する消火栓装置において、
前記開口部の開口縁を鋸刃状に形成したことを特徴とする消火栓装置。
【請求項２】
前記開口縁が水平部とそれに連続する傾斜部を含むことを特徴とする請求項１に記載の消火栓装置。
【発明の詳細な説明】
【技術分野】
【０００１】
この発明は、消火栓装置に関し、より詳細には消火用ホースが装置内に内巻きに収納される消火栓装置に関する。
【背景技術】
【０００２】
例えば、トンネル等に設置される消火栓装置は、先端にノズルを有する消火用ホースを備えているが、一般に、消火用ホースは、常時は装置内部に巻き付けられた状態で収納されており、火災時に装置外部に引き出されて消火に用いられるようになっている。
【０００３】
この種の消火栓装置において、消火用ホースが装置内部に内巻きに巻き付けられて収納される所謂内巻き式の消火栓装置がある。
【０００４】
内巻き式の消火栓装置は、装置内部にホース収納部を備え、そのホース収納部内に外側から中心側に向けて順次消火用ホースを巻き付けて収納できるようになっており、そのホース収納部には、消火用ホースをホース収納部から引き出すことができるように、また消火用ホースをホース収納部に収納することができるように、前部に開口部が設けられている。
【０００５】
一般に、内巻き式の消火栓装置には、消火用ホースを消火水が供給された状態で引き出す際に、消火用ホースがその重みや消火水の圧力等によって強い勢いでホース収納部から出てくるために、必要以上にホース収納部から外部に出てしまうという問題がある。
【０００６】
そこで、例えば、特開２００７−３３０７１３号公報（特許文献１）に記載の消火栓装置は、ホース収納部の開口部の中に消火用ホースが出てくる際にそれに摩擦抵抗を与えるホースガイドを備え、消火用ホースがホース収納部から出てくる勢いを抑えることができるようになっている。
【先行技術文献】
【特許文献】
【０００７】
【特許文献１】特開２００７−３３０７１３号公報
【発明の概要】
【発明が解決しようとする課題】
【０００８】
しかしながら、前記特許文献１に記載のホースガイドのように、ホース収納部の開口部の中に消火用ホースに摩擦抵抗を与える部材を設ける場合、消火用ホースのホース収納部への収納の際に邪魔にならないようにする必要があり、その部材には着脱機構や移動機構等を設ける必要があり、構造が複雑なものとなってしまう。
【０００９】
この発明は、前記の事情に鑑み、簡単な構造によって、消火用ホースの引き出しの際に、消火用ホースがホース収納部から出てくる勢いを抑えることができる消火栓装置を得ることを目的とする。
【課題を解決するための手段】
【００１０】
この発明は、筐体内部のホース収納部に消火用ホースを内巻きに収納し、前記ホース収納部に前記消火用ホースが引き出される開口部を有する消火栓装置において、前記開口部の開口縁を鋸刃状に形成したことを特徴とする消火栓装置である。
【００１１】
また、この発明は、前記開口縁が水平部とそれに連続する傾斜部を含むことを特徴とする消火栓装置である。
【発明の効果】
【００１５】
この発明によれば、消火用ホースの引き出しの際、消火水が供給された状態の消火用ホースはホース収納部の開口部からその開口縁に当たりながら出てくるが、開口縁に凹状の部分が形成されていることで、或いは開口縁が凹凸状、波状又は鋸刃状に形成されていることで、その開口縁の凹状の部分或いは波状又は鋸刃状の谷間の部分を出入りするように当たりながら出てくることとなるので、開口部から出てくる消火用ホースの勢いを減衰させることができ、その勢いを抑えることができ、必要以上に消火用ホースがホース収納部から出てこないようにすることができる。
【００１６】
また、この発明によれば、前記のように、ホース収納部から出てくる消火用ホースの勢いを抑えることができるものであるが、前記従来例と異なり、ホース収納部へ消火用ホースを収納する際に、その邪魔になるような部材は設けられていないことから、そのような部材が設けられていれば必要となる着脱機構や移動機構等を設ける必要がない。
【００１７】
従って、この発明によれば、簡単な構造によって、消火用ホースの引き出しの際に、消火用ホースがホース収納部から出てくる勢いを抑えることができる。
【図面の簡単な説明】
【００１８】
【図１】この発明の消火栓装置の実施形態を示し、前傾扉を開けた状態における全体の斜視図である。
【図２】同上を示し、（ａ）がその要部の正面図であり、（ｂ）がさらにその要部の拡大断面図である。
【図３】同上の他の実施形態を示し、図２に相当する図である。
【図４】同上のさらに他の実施形態を示し、図３と同様、図２に相当する図である。
【図５】同上のさらに他の実施形態を示し、（ａ）及び（ｂ）の何れも、図２の（ｂ）に相当する図である。
【発明を実施するための形態】
【００１９】
この発明の実施の形態を図１乃至５に基づき説明する。
【００２０】
消火栓装置１は、例えば道路のトンネル等に設置されるものである。また、この消火栓装置１は、先端にノズル４ａを有する消火用ホース４が内巻きに収納される所謂内巻き式のものである。
【００２１】
図１に示すように、消火栓装置１は、筐体２内に、先端にノズル４ａを有する消火用ホース４が内巻きに収納されるホース収納部５を備えており、また、図示は省略するが、消火用ホース４に消火水を供給するための消火栓弁や配管等も備えている。筐体２の前部には開口２ａが設けられており、開口２ａは前傾扉３によって開閉可能になっている。前傾扉３の裏面には消火栓弁の操作レバー６が設けられており、操作レバー６を開操作すれば、消火水が消火用ホース４に供給され、ノズル４ａから放出されるようになっている。なお、消火を行う際には、ノズル４ａを持った状態で操作レバー６を開操作して、消火栓弁を開いて消火水を消火用ホース４に供給した後、火災発生場所までノズル４ａを引っ張って行き消火を行う。
【００２２】
ホース収納部５は前部に開口部５ａを有しており、開口部５ａから消火用ホース４を外部に引き出したり、内部に収納したりすることができるようになっている。
【００２３】
なお、ホース収納部５は、具体的には、筐体２の上下に向かうように設けられた一対の棒状体５ｃと、一対の棒状体５ｃのそれぞれから筐体２の背面に向かうように設けられた略Ｌ字状の帯板５ｄと、筐体２の上面、下面、背面からなるものとなっており、開口部５ａは一対の棒状体５ｃの間に形成され、開口部５ａの開口縁５ｂは一対の棒状体５ｃの対向する側部に形成されたものとなっている。
【００２４】
そして、ホース収納部５において、その開口部５ａの垂直方向の開口縁５ｂは消火栓装置１の前面視（以下単に前面視という）で図２以降で詳細に示す凹状をなす凹部５ｅを含む形状に形成されたものとなっている。なお、凹部５ｅの数及び大きさは、消火用ホース４が開口部５ａから出てくる勢いをどの程度減衰するかに応じ、適宜のものとすることができる。
【００２５】
この開口部５ａの開口縁５ｂの形状については、凹部５ｅを含む形状であれば、種々の形状とすることができる。例えば、開口縁５ｂに単に前面視で種々の形状で凹部５ｅを形成したものとすることもできるが、開口縁５ｂに前面視で複数の凸部５ｆを種々の形状で形成して、その間に種々の形状で凹部５ｅを形成したものとすることができる。
【００２６】
具体的には、図１及び図２に示すように、開口縁５ｂに前面視で水平部５ｇとそれに連続する傾斜部５ｈによって形成される凸部５ｆを複数形成し、その間に凹部５ｅを形成したものとすることができ、即ち、開口縁５ｂを言わば鋸刃状（それぞれの大きさは変化させてもよい）に形成して谷間部分に凹部５ｅを形成したものとすることができ、また、図３に示すように、開口縁５ｂに前面視で傾斜方向を異にして直線状に連続する第１傾斜部５ｉと第２傾斜部５ｊによって形成される凸部５ｆを複数形成し、その間に凹部５ｅを形成したものとすることができ、即ち、開口縁５ｂを言わば波状、具体的には三角波状（それぞれの大きさは変化させてもよい）に形成してその谷間部分に凹部５ｅを形成したものとすることができ、また、図４に示すように、開口縁５ｂに前面視で傾斜方向を異にして曲線状に連続する第１曲面部５ｋと第２曲面部５ｍによって形成される凸部５ｆを複数形成し、その間に凹部５ｅを形成したものとすることができ、即ち、開口縁５ｂを言わば波状、具体的には正弦波状（それぞれの大きさは変化させてもよい）に形成してその谷間部分に凹部５ｅを形成したものとすることができる。
【００２７】
なお、開口縁５ｂの波状の形状としては、さらに図５（ａ）に示すような前面視で矩形波状（それぞれの大きさは変化させてもよい）としてもよく、また、開口縁５ｂの複数の凸部５ｆは、図５（ｂ）に示すように、間に垂直部５ｎを介して断続するものとしてもよく、この場合、垂直部５ｎの長さを一定にして規則的に断続するものとしてもよいし、垂直部５ｎの長さを変化させて不規則に断続するものとしてもよい。
【００２８】
消火栓装置１は、前記のように、ホース収納部５の開口縁５ｂが凹部５ｅを含む形状で形成されていることで、消火水が供給された状態の消火用ホース４がホース収納部５から引き出される際に、消火用ホース４は、消火水の圧力によって、消火用ホース４の内巻き径が広がるように真っ直ぐ伸びようとするため、ホース収納部５の内部にあっては、ホース収納部５を構成する帯板５ｄと筐体２の上面、下面及び背面に押し付けられ、また、開口部５ａを通過するときは、開口縁５ｂに押し付けられる。このとき、消火用ホース４は、図２（ｂ）、図３（ｂ）、図４（ｂ）、図５（ａ）及び同（ｂ）に示すように、凹部５ｅに入ったり、またそこから出たりしつつ、開口縁５ｂに当たりながら出てくるようになっており、その段階で消火用ホース４が開口部５ａから出てくる勢いが減衰されて、その勢いが抑えられるようになっている。そのため、必要以上に消火用ホース４がホース収納部５から出てこないようにすることができる。なお、開口縁５ｂを摩擦係数が高い素材で被覆すれば、消火用ホース４の勢いを、より減衰させることができる。
【００２９】
また、消火栓装置１は、前記のように、消火用ホース４が開口部５ｂから出てくる勢いが減衰されて、その勢いが抑えられるようになっているが、ホース収納部５の開口縁５ｂによってその勢いが抑えられるものとしていることで、消火用ホース４の勢いが抑えられるようになっていながらも、消火用ホース４をホース収納部５へ収納するのに邪魔になるような部材はなく、そのような部材があれば必要となる着脱機構や移動機構等を設ける必要のないものとなっている。
【符号の説明】
【００３０】
１：消火栓装置        ２：筐体              ２ａ：開口
３：前傾扉            ４：消火用ホース      ４ａ：ノズル
５：ホース収納部      ５ａ：開口部          ５ｂ：開口縁
５ｃ：棒状体          ５ｄ：帯板            ５ｅ：凹部
５ｆ：凸部            ５ｇ：水平部          ５ｈ：傾斜部
５ｉ：第１傾斜部      ５ｊ：第２傾斜部      ５ｋ：第１曲面部
５ｍ：第２曲面部      ５ｎ：垂直部          ６：操作レバー
【図１】
0005545829.tif 000002
【図２】
0005545829.tif 000003
【図３】
0005545829.tif 000004
【図４】
0005545829.tif 000005
【図５】
0005545829.tif 000006